(57)【要約】    【課題】  管理コンピュータによってネットワーク上の台数や構成に応じて設定情報ファイルや配信・格納情報ファイルを作成、配信にかかる作業時間を低減し、コンピュータ技術に対して大掛かりな知識を有しない作業者でも容易に作業ができるコンピュータシステムにおける設定ファイル配信方法を提供。    【解決手段】  ネットワーク上のそれぞれ独自の設定情報を持つ複数のコンピュータの設定情報を各コンピュータに格納されている識別情報ファイルから取得した設定情報を設定情報ファイルとして管理コンピュータの記憶装置に作成し、設定情報ファイルをネットワーク上のどのコンピュータに配信するかを指定する配信先情報と設定情報ファイルをネットワーク上のコンピュータのどのフォルダに格納するかを指定する格納先情報とを記憶装置に配信・格納情報ファイルとして作成し、設定情報ファイル及び配信・格納情報ファイルに従い、管理コンピュータからネットワークを介して各コンピュータに前記設定情報ファイルを配信する。【選択図】  図３
2006048321.tif 000002
【特許請求の範囲】
【請求項１】
ネットワーク上のそれぞれ独自の設定情報を持つ複数のコンピュータの前記設定情報を各コンピュータに格納されている識別情報ファイルから取得し、取得した前記設定情報を設定情報ファイルとして前記管理コンピュータの記憶装置に作成し、前記設定情報ファイルを前記ネットワーク上のどのコンピュータに配信するかを指定する配信先情報と前記設定情報ファイルを前記ネットワーク上のコンピュータのどのフォルダに格納するかを指定する格納先情報とを前記記憶装置に配信・格納情報ファイルとして作成し、前記設定情報ファイル及び配信・格納情報ファイルに従い、前記管理コンピュータから前記ネットワークを介して前記各コンピュータに前記設定情報ファイルを配信することを特徴とするコンピュータシステムにおける設定ファイル配信方法。
【発明の詳細な説明】
【技術分野】
【０００１】
本発明は、新規なコンピュータシステムにおけるファイル配信方法に関する。
【背景技術】
【０００２】
従来、コンピュータシステムにおける設定情報ファイル更新作業時のファイルの配信方法として、特許文献１が知られている。特許文献１に記載されているように、ファイル配信の事前作業として、配信に必要な種々な配信パラメータを作業者が数時間を要して手動で設定情報ファイルに設定し、その設定情報ファイルを一度記憶装置に格納した後、記憶装置に格納された設定情報ファイルを元に配信パラメータを読み取り、その配信パラメータに従って配信を実現するものである。
【０００３】
また、複数コンピュータがネットワーク接続されたコンピュータシステムでは、管理コンピュータを用いてデータやファイルのバックアップといったメンテナンス作業を実施することが公知となっている。この管理コンピュータを用いたメンテナンスの作業方法が特許文献２に記載されている。
【０００４】
【特許文献１】特開平９−１１４６４８号公報
【特許文献２】特開２００３−１９６１３７号公報
【発明の開示】
【発明が解決しようとする課題】
【０００５】
特許文献１については、設定情報ファイルを配信時に記憶装置、又は補助記憶装置に作業者が手動で作成、格納する必要がある為、誤った情報を作成、格納する可能性が高くなり、更にコンピュータの台数に比例してその作業時間は増大し、設定情報ファイルの確認時間も膨大なものとなる。特許文献２についても同様である。
【０００６】
本発明の目的は、管理コンピュータによってネットワーク上の台数や構成に応じて設定情報ファイルや配信・格納情報ファイルを作成、配信にかかる作業時間を低減し、コンピュータ技術に対して大掛かりな知識を有しない作業者でも容易に作業ができるコンピュータシステムにおける設定ファイル配信方法を提供することにある。
【課題を解決するための手段】
【０００７】
本発明は、管理コンピュータにおいて配信時にネットワーク上のコンピュータの設定情報を各コンピュータに格納されている識別情報ファイルから取得し、取得した設定情報を設定情報ファイルとして管理コンピュータの記憶装置に作成し、ネットワーク上のどのコンピュータに設定情報ファイルを配信するかを指定する配信先情報、設定情報ファイルを該当コンピュータのどのフォルダに格納するかを指定する格納先情報を作業者が管理コンピュータの記憶装置に配信／格納情報ファイルとして作成した後、管理コンピュータが各コンピュータから取得した設定情報が格納されている設定情報ファイルおよび配信／格納情報ファイルに従い、管理コンピュータから各コンピュータに設定情報ファイルを配信することを特徴とするコンピュータシステムにおける設定ファイル配信方法にある。
【０００８】
即ち、本発明は、管理用コンピュータ(サーバーコンピュータ)と複数のコンピュータとをネットワーク（通信網）を介して接続するコンピュータシステムで、管理用コンピュータからそれぞれ独自の設定情報、配信先情報、格納先情報を持つ複数のコンピュータに設定情報ファイルを自動的に配信できる配信方法にある。
【０００９】
又、本発明において、管理コンピュータから各コンピュータの設定情報ファイルを更新する際に必要となる各コンピュータ毎の設定情報ファイルの作成と各コンピュータへの配信を行うものである。更に、一意に特定される識別子が付与されていて、各コンピュータにはそれぞれ独自の設定情報がファイルとして格納されている複数のコンピュータがネットワーク接続されたコンピュータシステムにおいて、各コンピュータに格納する設定情報ファイルを作成、配信する際に管理コンピュータを使用して、管理コンピュータが各コンピュータから設定情報を取得した後、管理コンピュータから各コンピュータ毎に設定情報ファイルを作成、配信するものである。
【００１０】
配信装置としては、インターネットやイントラネットなどと同様に、管理コンピュータにネットワークで複数の個人のコンピュータを接続する構成で、管理コンピュータから各個人のコンピュータに指定情報を配信するものであり、より具体的には、識別情報ファイル及び設定情報ファイルが格納された記憶装置を有する複数のコンピュータと、該コンピュータ毎の各端末情報としての配信ファイル、設定情報ファイル及び配信先情報／格納先情報としての配信／格納情報ファイルを格納する記憶装置、前記配信ファイル及び設定情報ファイルを前記コンピュータ毎に作成する演算装置、入力装置及び表示装置を有する管理コンピュータと、前記演算装置に接続された外部記憶装置とを備え、前記管理コンピュータは前記各コンピュータとネットワークにて接続されていることが好ましい。
【００１１】
更に、前記演算装置としては、前記各コンピュータに格納されている識別情報ファイルから各コンピュータの設定情報を取得する設定情報取得プログラムと、該取得した設定情報を元にして設定情報ファイルを作成する設定情報ファイル作成プログラムと、前記設定情報から作成する配信先情報及び作業者が管理コンピュータにて作成する格納情報から前記配信／格納情報ファイルを作成する配信／格納情報ファイル作成プログラムと、前記設定情報ファイルと配信／格納情報ファイルの情報に従って前記設情報ファイルを配信する設定情報ファイル配信プログラムと、開始／終了メッセージ及びエラー発生時のエラーメッセージを表示するメッセージ表示プログラムとを設定する設定手段を有することが好ましい。
【発明の効果】
【００１２】
本発明によれば、管理コンピュータによってネットワーク上の台数や構成に応じて設定情報ファイルや配信・格納情報ファイルの作成、配信にかかる作業時間を低減し、コンピュータ技術に対して大掛かりな知識を有しない作業者でも容易に作業ができるコンピュータシステムにおける設定ファイル配信方法を提供することができる。
【発明を実施するための最良の形態】
【００１３】
図１は、本発明における管理コンピュータと複数の各コンピュータとがＬＡＮ（Local Area Network）などのネットワークを介して接続されたコンピュータシステムにおける設定情報ファイルの配信装置を示すブロック図である。各コンピュータ３００、４００、５００には、各々の記憶装置３１０、４１０、５１０に各々異なる設定情報ファイル３３０、４３０、５３０と、識別情報ファイル３２０，４２０，５２０とが格納されており、これらの設定情報ファイル３３０、４３０、５３０を作成し、配信するものである。各設定情報ファイル３３０、４３０、５３０にはコンピュータ毎に異なった各端末情報３４０、４４０、５４０が格納されているので、配信する前に管理コンピュータ１に格納されている配信ファイル２４０の端末情報２４１にコンピュータ毎の各端末情報３４０、４４０、５４０を書き込む必要がある為、配信ファイル２４０をコンピュータ毎に作成することになる。
【００１４】
管理コンピュータ１における演算装置３０には、キーボード、マウス等の入力装置１０、表示装置２０、外部記憶装置９０としてＣＤ−ＲＯＭ（Compact Disk-Read Only Memory）ドライブ装置９１およびＦＤ（Flexible Disk）ドライブ装置９２が接続される。管理コンピュータ１は、コンピュータ種別ＡであるコンピュータＡｉ３００、コンピュータ種別ＢであるコンピュータＢｊ４００、コンピュータ種別ＣであるコンピュータＣｋ５００とＬＡＮ２９０などにてネットワーク接続されている。コンピュータの台数はｎ台（ｎ＝ｉ＋ｊ＋ｋ）となる。
【００１５】
図２は、管理コンピュータの演算装置の構成を示すブロック図である。管理コンピュータ１の演算装置３０は、各コンピュータの種別毎に配信ファイル２４０を各設定情報ファイル３３０、４３０、５３０として格納する格納先情報を格納した格納先情報ファイル２３０を作成する格納先情報ファイル作成プログラム１４０、ネットワーク上の各コンピュータの設定情報を取得する設定情報取得プログラム１５０、識別情報ファイル３２０、４２０、５２０から取得した識別情報と、格納先情報ファイル２３０から取得した格納先情報を元にして設定情報ファイル２１０を作成する設定情報ファイル作成プログラム１６０、設定情報ファイル２１０と格納先情報ファイル２３０に従って配信／格納情報ファイル２２０を作成する配信／格納情報ファイル作成プログラム１７０、各コンピュータの端末情報２４１を配信ファイル２４０に書き込みながら設定情報ファイル３３０、４３０、５３０として配信する設定情報ファイル配信プログラム１８０、各ファイルの作成開始／終了、配信ファイル２４０の配信開始／終了、およびエラーが発生した場合にメッセージを表示装置に出力するメッセージ表示プログラム１９０を有する。
【００１６】
図３は本発明におけるコンピュータシステムにおける設定情報ファイルの配信方法を示す処理フロー図である。図４は各情報ファイル形式を示す図である。本実施例においては、以下のステップを有する。
【００１７】
最初に、ネットワーク上のコンピュータの種別毎に配信ファイル２４０をどのフォルダに格納するかの格納先情報を、管理コンピュータの画面操作により作業者が作成する（ステップＳ１０）。
【００１８】
この格納先情報は、図４のように格納先情報ファイル２３０として格納される（ステップＳ１１）。
【００１９】
格納先情報ファイル２３０には、該当コンピュータの種別２３１、格納先情報２３２が格納され、次回以降コンピュータの種別や種別毎の格納先に変更がない場合は、この格納先情報ファイル２３０を使用して配信ファイル２４０の作成、配信が可能となる為、格納先情報を毎回作成する必要はない。続いて、設定情報ファイル２１０、配信／格納情報ファイル２２０の作成開始を知らせる作成開始メッセージを表示する（ステップＳ１２）。
【００２０】
その後、配信するコンピュータの台数分、以降の処理が実行されたかの判定を行う（ステップＳ１３）。
【００２１】
この判定にて全台数分の処理が完了すると次の処理（ステップＳ１９）へと移行するが、全台数分の処理が完了していない場合は、コンピュータ毎の識別情報ファイル３２０、４２０、５２０を読み込む為に該当コンピュータのＩＰアドレスをセットする（ステップＳ１４）と共に、該当コンピュータのコンピュータ名をセットする（ステップＳ１５）。
【００２２】
これらの処理により該当のコンピュータから識別情報ファイル３２０、４２０、５２０を読み込む（ステップＳ１６）ことが可能となる。識別情報ファイル３２０、４２０、５２０から読み込まれた識別情報（ステップＳ１７）は、図４に示すように該当コンピュータの種別６００が格納されており、設定情報ファイル２１０にコンピュータ名２１１、ＩＰアドレス２１２と共に書き込まれる（ステップＳ１８）。
【００２３】
次に、配信するコンピュータの台数分、以降の処理が実行されたかの判定を行い（ステップＳ１９）、この判定にて全台数分の処理が完了すると次の処理（ステップＳ２３）へと移行するが、全台数分の処理が完了していない場合は、設定情報ファイル２１０を読み込み（ステップＳ２０）、該当コンピュータのコンピュータ名２１１、ＩＰアドレス２１２を元に種別２１３を取得する。更に格納先情報ファイル２３０を読み込み（ステップＳ２１）、該当種別の格納先情報２３２が特定されるので、図４に示すコンピュータ名２２１、ＩＰアドレス２２２、種別２２３、格納先情報２２４を配信／格納情報ファイル２２０に書き込む（ステップＳ２２）。
【００２４】
これらの処理によって、どのコンピュータのどこに設定情報ファイル３３０、４３０、５３０を格納するかが特定されることになる。全てのコンピュータに対して処理が完了すると、設定情報ファイル２１０、配信／格納情報ファイル２２０の作成完了を知らせる作成完了メッセージを表示する（ステップＳ２３）。
【００２５】
続いて、配信ファイル２４０の配信開始を知らせる配信開始メッセージを表示する（ステップＳ２４）。
【００２６】
その後、配信するコンピュータの台数分、以降の処理が実行されたかの判定を行い（ステップＳ２５）、この判定にて全台数分の処理が完了すると次の処理（ステップＳ３５）へと移行するが、全台数分の処理が完了していない場合は、設定情報ファイル２１０を読み込み（ステップＳ２６）、コンピュータ名２１１、ＩＰアドレス２１２、種別２１３という配信情報を取得し（ステップＳ２７）、次に配信／格納情報ファイル２２０を読み込み（ステップＳ２８）、配信／格納情報ファイル２２０から該当コンピュータのどこに格納するかの情報である格納先情報２２４を取得する（ステップＳ２９）。
【００２７】
コンピュータ毎に異なる端末情報３４０、４４０、５４０を配信ファイル２４０に書き込む必要があるので、ここで配信ファイル２４０を読み込み（ステップＳ３０）、配信ファイル２４０に格納されている端末情報２４１を格納する部分を検索する。
【００２８】
その後、配信ファイル２４０の端末情報２４１に端末情報３４０、４４０、５４０を格納し（ステップＳ３１）、該当コンピュータに配信ファイル２４０を設定情報ファイル３３０、４３０、５３０として配信する（ステップＳ３２）。
【００２９】
判定処理（ステップＳ３３）において、ここでエラーが発生した場合には、エラーメッセージを表示する（ステップＳ３４）。
【００３０】
全てのコンピュータに対して配信が完了すると、配信完了を知らせる配信完了メッセージを表示する（ステップＳ３５）。
【００３１】
本実施例は、ネットワーク上のコンピュータが増設された場合においても、管理コンピュータが全コンピュータから設定情報や配信／格納先情報を取り出し、コンピュータ毎に設定情報ファイルを作成できるので、比較的容易な操作、作業で設定情報ファイルを配信可能となるので、汎用的なコンピュータシステムにおけるメンテナンス作業にも適用できる。
【００３２】
以上、本実施例に示すように、管理コンピュータでネットワーク上の台数や構成に応じて設定情報や配信／格納情報を作成し、設定情報ファイルを配信することでき、又、併せて、設定情報ファイルの確認時間も膨大なものとなるが、コンピュータ技術に対する大掛かりな知識の無い作業者でも容易に作業ができて、設定情報ファイルの作成、配信にかかる作業時間も手動による作業時間より低減することができる。
【００３３】
又、ネットワークに接続されたコンピュータの設定情報ファイルを更新する際に、管理コンピュータにおいて簡易な操作により、ネットワークに接続された全コンピュータの設定情報を格納する設定情報ファイル、配信先情報、格納先情報を格納する配信／格納情報ファイルを管理コンピュータが各コンピュータから取得した情報を元に作成し、それらのファイルの情報に従って、管理コンピュータから全コンピュータに設定情報ファイルを配信することが可能となる。
【００３４】
更に、コンピュータ毎に書き換えが必要となる設定情報ファイルへの書き込みも、管理コンピュータが配信時に実行することにより実現している。設定情報ファイルは管理コンピュータのプログラムで作成し、配信／格納情報ファイルは作業者がコンピュータの種別数分のみ作成することになるので、コンピュータの増設時にも設定情報ファイルを手動で変更するという大掛かりな作業も必要ない。これによりコンピュータに対する大掛かりな知識が無い作業者でも、簡易に確実に操作でき、更に設定情報ファイルの確認作業に多くの時間を費やす必要もなくなる。
【００３５】
本実施例では、管理コンピュータでネットワーク上のコンピュータの設定情報を管理コンピュータが各コンピュータから取得するので、コンピュータの台数や構成に応じて設定情報や配信／格納情報を作成し、設定情報ファイルを配信することができる。
【図面の簡単な説明】
【００３６】
【図１】本発明における管理コンピュータと各コンピュータとがネットワークを介して接続されたコンピュータシステムにおける設定情報ファイルの配信装置を示すブロック図である。
【図２】図１の管理コンピュータにおける演算装置の構成を示すブロック図である。
【図３】本発明におけるコンピュータシステムにおける設定ファイル配信方法を示す処理フロー図である。
【図４】各情報ファイル形式を示す図である。
【符号の説明】
【００３７】
１…管理コンピュータ、１０…入力装置、２０…表示装置、３０…演算装置、９０…外部記憶装置、９１…ＣＤ−ＲＯＭドライブ装置（CD-ROM：Compact Disk-Read Only Memory）、９２…ＦＤドライブ装置（FD：Flexible Disk）、１４０…格納先情報ファイル作成プログラム、１４１…格納先情報セット部、１４２…格納先情報ファイル書込部、１５０…設定情報取得プログラム、１５１…識別情報取得部、１５２…設定情報取得部、１６０…設定情報ファイル作成プログラム、１６１…識別情報ファイル読込部、１６２…識別情報セット部、１６３…設定情報セット部、１６４…設定情報ファイル書込部、１７０…配信／格納情報ファイル作成プログラム、１７１…配信先情報セット部、１７２…配信／格納情報ファイル書込部、１８０…設定情報ファイル配信プログラム、１８１…設定情報ファイル読込部、１８２…配信／格納情報ファイル読込部、１８３…配信ファイル読込部、１８４…端末情報書込部、１８５…設定情報ファイル配信部、１９０…メッセージ表示部、１９１…開始メッセージ表示部、１９２…エラーメッセージ表示部、１９３…完了メッセージ表示部、２００…記憶装置、２１０…設定情報ファイル、２１１…コンピュータ名（設定情報ファイル）、２１２…ＩＰアドレス（設定情報ファイル）、２１３…種別（設定情報ファイル）、２２０…配信／格納情報ファイル、２２１…コンピュータ名（配信／格納情報ファイル）、２２２…ＩＰアドレス（配信／格納情報ファイル）、２２３…種別（配信／格納情報ファイル）、２２４…格納先情報（配信／格納情報ファイル）、２３０…格納先情報ファイル、２３１…種別（格納先情報ファイル）、２３２…格納先情報（格納先情報ファイル）、２４０…配信ファイル、２４１…端末情報、２９０…ＬＡＮ、３００…コンピュータＡｉ（種別Ａ）、３１０…記憶装置Ａｉ、３２０…識別情報ファイル（Ａｉ）、３３０…設定情報ファイル（Ａｉ）、３４０…端末情報（Ａｉ）、４００…コンピュータＢｊ（種別Ｂ）、４１０…記憶装置Ｂｊ、４２０…識別情報ファイル（Ｂｊ）、４３０  設定情報ファイル（Ｂｊ）、４４０…端末情報（Ｂｊ）、５００…コンピュータＣｋ（種別Ｃ）、５１０…記憶装置Ｃｋ、５２０…識別情報ファイル（Ｃｋ）、５３０…設定情報ファイル（Ｃｋ）、５４０…端末情報（Ｃｋ）、６００…種別（識別情報ファイル）。
【図１】
2006048321.tif 000003
【図２】
2006048321.tif 000004
【図３】
2006048321.tif 000005
【図４】
2006048321.tif 000006